(57)【要約】【課題】  低コストで、原稿の両面高速読取りを実現することができる両面画像読取方法を提供すること。【解決手段】  本発明の両面画像読取方法は、読取った原稿の画像データを格納する読取用ページメモリ領域１９と、出力する原稿の画像データを格納する出力用ページメモリ領域２１とを使用する画像読取方法であって、原稿の両面の画像データを読取る場合に、前記読取用ページメモリ領域１９を原稿の一方の面の画像データの格納に割り当て、前記出力用ページメモリ領域２１を原稿の他方の面の画像データの格納に割り当てるものである。【選択図】      図３
2006295546.tif 000002
【特許請求の範囲】
【請求項１】
読取った原稿の画像データを格納する読取用ページメモリ領域と、出力する原稿の画像データを格納する出力用ページメモリ領域とを使用する画像読取方法であって、原稿の両面の画像データを読取る場合に、前記読取用ページメモリ領域を原稿の一方の面の画像データの格納に割り当て、前記出力用ページメモリ領域を原稿の他方の面の画像データの格納に割り当てることを特徴とする両面画像読取方法。
【請求項２】
原稿の両面の画像データを読取る際に、出力ジョブが実行されている場合には、実行されている出力ジョブを中断し、前記出力用ページメモリ領域を出力処理から解放することを特徴とする請求項１記載の両面画像読取方法。
【請求項３】
原稿の両面の画像データを読取る際に、出力ジョブが実行されている場合には、実行されている出力ジョブが終了した後、原稿の両面の画像データの読取りを開始することを特徴とする請求項１記載の両面画像読取方法。
【請求項４】
原稿の両面の画像データの読取りが終了した後、前記中断した出力ジョブを再開することを特徴とする請求項２記載の両面画像読取方法。
【発明の詳細な説明】
【技術分野】
【０００１】
本発明は、原稿の両面の画像データを読取る両面画像読取方法に関する。
【背景技術】
【０００２】
近年、原稿の表裏を反転させることなく、自動原稿給送装置（ＡＤＦ：Automatic Document Feeder）によって搬送する原稿の両面の画像データを読取ることができる複写機やファクシミリ装置等が提案されている（例えば、特許文献１参照。）。この特許文献１に開示されているような従来の装置は、スキャナで読取った原稿の両面の画像データを読取用のページメモリに一旦格納した後、符号化して画像メモリに蓄積する。一方、画像メモリに蓄積された画像データを印字出力する際には、画像メモリに蓄積された画像データを復号して出力用のページメモリに展開する。そして、プリンタの動作に同期して、出力用のページメモリに展開された画像データをプリンタに転送し、プリンタでその画像データを印字出力する。
【０００３】
このような従来の装置において、読取用のページメモリの容量が片面読取時を基準に設定されている場合、例えば１〜２ページ分の画像データしか格納できないようなものである場合、自動原稿給送装置によって搬送される原稿の両面の画像データを読取ると、片面読取時に比べて２倍のデータ量の読取画像データが生成されるため、原稿の読取り速度を低速にしなければ読取用のページメモリがオーバーフローするという問題が生じる。このため、従来の装置では、原稿の表面の画像データを格納する表面読取用のページメモリと原稿の裏面の画像データを格納する裏面読取用のページメモリとを別々に持たせることにより、原稿の両面の画像データの読取り速度を低速にすることなく、片面読取時と同様の読取り速度を実現している。
【特許文献１】特許第３４７６５９９号公報
【発明の開示】
【発明が解決しようとする課題】
【０００４】
このように、上記従来の装置においては、原稿の両面の画像データの読取り速度を維持するために、表面読取用のページメモリと裏面読取用のページメモリを設ける必要があるので、読取用のページメモリに掛るコストが２倍になるという問題点があった。
【０００５】
本発明は、上記問題点に鑑みてなされたものであり、低コストで、原稿の両面高速読取りを実現することができる両面画像読取方法を提供することを目的とする。
【課題を解決するための手段】
【０００６】
上記目的を達成するために、請求項１記載の両面画像読取方法は、読取った原稿の画像データを格納する読取用ページメモリ領域と、出力する原稿の画像データを格納する出力用ページメモリ領域とを使用する画像読取方法であって、原稿の両面の画像データを読取る場合に、前記読取用ページメモリ領域を原稿の一方の面の画像データの格納に割り当て、前記出力用ページメモリ領域を原稿の他方の面の画像データの格納に割り当てることを特徴としている。
【０００７】
請求項２記載の両面画像読取方法は、請求項１記載の両面画像読取方法において、原稿の両面の画像データを読取る際に、出力ジョブが実行されている場合には、実行されている出力ジョブを中断し、前記出力用ページメモリ領域を出力処理から解放することを特徴としている。
【０００８】
請求項３記載の両面画像読取方法は、請求項１記載の両面画像読取方法において、原稿の両面の画像データを読取る際に、出力ジョブが実行されている場合には、実行されている出力ジョブが終了した後、原稿の両面の画像データの読取りを開始することを特徴としている。
【０００９】
請求項４記載の両面画像読取方法は、請求項２記載の両面画像読取方法において、原稿の両面の画像データの読取りが終了した後、前記中断した出力ジョブを再開することを特徴としている。
【発明の効果】
【００１０】
請求項１記載の両面画像読取方法によれば、読取用ページメモリ領域が原稿の一方の面の画像データ（例えば、原稿の表面の画像データ）の格納に割り当てられ、出力用ページメモリ領域が原稿の他方の面の画像データ（例えば、原稿の裏面の画像データ）の格納に割り当てられるので、出力用ページメモリ領域が読取った原稿の画像データの格納と出力する原稿の画像データの格納に共用される。これにより、従来のように、ページメモリを２倍に増設することなく、原稿の両面高速読取りを実現することができる。
【００１１】
請求項２記載の両面画像読取方法によれば、出力ジョブが実行されている場合には、実行されている出力ジョブが中断されて、出力用ページメモリ領域が原稿の他方の面の画像データの格納に割り当てられるので、出力ジョブの終了を待つことなく、原稿の両面読取りを行うことができる。
【００１２】
請求項３記載の両面画像読取方法によれば、出力ジョブが実行されている場合には、実行されている出力ジョブが終了した後、原稿の両面の画像データの読取りが開始されるので、出力ジョブを優先させて実行することができる。
【００１３】
請求項４記載の両面画像読取方法によれば、原稿の両面の画像データの読取りが終了した後、中断した出力ジョブが再開されるので、出力ジョブの再設定等のユーザの操作を省くことができ、利便性が向上するという利点がある。
【発明を実施するための最良の形態】
【００１４】
以下、本発明の実施の形態に係る両面画像読取方法を図面に基づいて説明する。本実施の形態においては、本発明の両面画像読取方法を実施する複写機を例に挙げて説明する。この複写機１は、図示しない自動原稿給送装置を備えており、自動原稿給送装置により搬送される原稿の片面又は両面の画像データを読取る手段を備える。複写機１は、図１に例示するように、制御部（ＭＰＵ：Microprocessing Unit）２、ＲＯＭ（Read Only Memory）３、ＲＡＭ（Random Access Memory）４、表面スキャナ５、表面スキャナ画像処理回路６、裏面スキャナ７、裏面スキャナ画像処理回路８、スキャナ用ページメモリコントローラ９、スキャナ用コーデック１０、画像メモリコントローラ１１、プリンタ用コーデック１２、プリンタ用ページメモリコントローラ１３、プリンタ画像処理回路１４、プリンタ１５、操作部１６、及び表示部１７を備えたものであって、各部２乃至１７はバス１８によって通信可能に接続されている。
【００１５】
制御部２は、ＲＯＭ３に格納された制御プログラムに従って、この複写機１を構成する各部を制御する。ＲＡＭ４は、制御部２の主メモリ、ワークエリア等として機能し、各種の設定情報等を記憶している。表面スキャナ５は、自動原稿給送装置により搬送される原稿の表面の画像データを読取るものであり、読取素子として固体撮像素子（ＣＣＤ：Charge Coupled Device）が用いられている。表面スキャナ５が読取った原稿の表面の画像データは、表面スキャナ画像処理回路６に出力される。表面スキャナ画像処理回路６は、表面スキャナ５から出力された原稿の表面の画像データに対して、Ａ／Ｄ変換、シェーディング補正、２値化処理等の第１の画像処理を行うものである。裏面スキャナ７は、自動原稿給送装置により搬送される原稿の裏面の画像データを読取るものであり、読取素子として密着型イメージセンサ（ＣＩＳ：Contact Image Sensor）が用いられている。裏面スキャナ７が読取った原稿の裏面の画像データは、裏面スキャナ画像処理回路８に出力される。裏面スキャナ画像処理回路８は、裏面スキャナ７から出力された原稿の裏面の画像データに対して、Ａ／Ｄ変換、シェーディング補正、２値化処理等の第１の画像処理を行うものである。
【００１６】
スキャナ用ページメモリコントローラ９は、スキャナ用ページメモリ（読取用ページメモリ領域）１９への画像データの書込み、読出しなどのメモリ管理を行うものである。スキャナ用ページメモリ１９は、画像データをページ単位で格納するものである。スキャナ用コーデック１０は、画像データを符号化するものである。具体的には、画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化する。
【００１７】
画像メモリコントローラ１１は、画像メモリ２０への画像データの書込み、読出しなどのメモリ管理を行うものである。画像メモリ２０は、符号化されている画像データを蓄積するものである。プリンタ用コーデック１２は、画像データをＪＰＥＧ、ＭＨ、ＭＲ、ＭＭＲ、ＪＢＩＧ方式等により符号化し、符号化されている画像データを復号するものである。プリンタ用ページメモリコントローラ１３は、プリンタ用ページメモリ（出力用ページメモリ領域）２１への画像データの書込み、読出しなどのメモリ管理を行うものである。プリンタ用ページメモリ２１は、画像データをページ単位で格納するものである。
【００１８】
プリンタ画像処理回路１４は、入力された画像データに対して、解像度変換、スムージング処理等の第２の画像処理を行うものである。プリンタ１５は、プリンタ画像処理回路１４において第２の画像処理が行われた画像データを印字出力、すなわち、画像データの画像を用紙に印字するものである。このプリンタ１５における印字方式としては、例えば、電子写真方式を用いることができる。また、プリンタ１５は、用紙の両面に画像データの画像を印字することが可能である。なお、プリンタ１５は、用紙の片面のみに画像データの画像を印字するものであってもよい。
【００１９】
操作部１６は、図示しないが、原稿の読取り開始を指示するためのスタートキー、コピー部数等を入力するためのテンキー、各種設定を行うためのカーソルキーなど、表示部１７と連動した各種操作キーを備えている。表示部１７は、図示しないが、各種の設定状態や複写機１の動作状態などを文字や図形などで表示する液晶表示装置（ＬＣＤ：Liquid Crystal Display）、点灯又は消灯で表示するＬＥＤランプなどを備えている。なお、液晶表示装置をいわゆるタッチパネル式として、操作部１６に代えてこの液晶表示装置の画面をユーザが指等で触れることにより各種の操作を行うこともできる。ユーザは、この操作部１６又は表示部１７から、原稿の表面の画像データを読取る片面読取りモード、又は、原稿の両面の画像データを読取る両面読取りモードを指定することができるようになっている。操作部１６又は表示部１７から指定された片面読取りモード、又は、両面読取りモードの設定情報は、ＲＡＭ４に記憶される。
【００２０】
上記構成を備えた複写機１は、原稿の表面の画像データを読取る片面画像読取機能を備えるとともに、原稿の両面の画像データを読取る両面画像読取機能を備える。まず、複写機１において、原稿の表面の画像データを読取り、読取った原稿の表面の画像データを出力する場合について説明する。なお、本実施の形態においては、原稿の画像データを出力する一例として、原稿の画像データをプリンタ１５で印字出力する場合について説明する。
【００２１】
図２は、表面スキャナ５により読取った原稿の表面の画像データがプリンタ１５で印字出力されるまでに、複写機１において行われる処理動作によるデータ転送の流れを示した図である。図示するように、表面スキャナ５は、原稿の表面の画像データを読取り、これを表面スキャナ画像処理回路６へと出力する。表面スキャナ画像処理回路６は、表面スキャナ５から出力された原稿の表面の画像データに対して、Ａ／Ｄ変換、シェーディング補正、２値化処理等の第１の画像処理を行う。
【００２２】
スキャナ用ページメモリコントローラ９は、表面スキャナ画像処理回路６で第１の画像処理が行われた表面の画像データをスキャナ用ページメモリ１９に一時的に格納した後、該スキャナ用ページメモリ１９から表面の画像データを読出してスキャナ用コーデック１０に出力する。スキャナ用コーデック１０は、スキャナ用ページメモリコントローラ９により入力された表面の画像データを符号化して画像メモリコントローラ１１へ出力する。画像メモリコントローラ１１は、スキャナ用コーデック１０で符号化された表面の画像データを画像メモリ２０に蓄積する。
【００２３】
画像メモリコントローラ１１は、印字出力処理の進行状況に応じて、画像メモリ２０から符号化された表面の画像データを読出してプリンタ用コーデック１２に出力する。プリンタ用コーデック１２は、画像メモリコントローラ１１により入力された符号化された表面の画像データを復号する。プリンタ用ページメモリコントローラ１３は、プリンタ用コーデック１２により復号された表面の画像データをプリンタ用ページメモリ２１に一時的に格納した後、該プリンタ用ページメモリ２１から表面の画像データを読出してプリンタ画像処理回路１４に出力する。プリンタ画像処理回路１４は、入力された表面の画像データに対して、解像度変換、スムージング処理等の第２の画像処理を行ってプリンタ１５に出力する。プリンタ１５は、入力された表面の画像データを印字出力する。このように、複写機１は、表面スキャナ５で読取った原稿の表面の画像データの格納にスキャナ用ページメモリ１９を使用し、プリンタ１５で印字出力する原稿の表面の画像データの格納にプリンタ用ページメモリ２１を使用する。
【００２４】
次に、複写機１において、原稿の両面の画像データを読取って画像メモリ２０に蓄積する場合について説明する。図３は、表面スキャナ５及び裏面スキャナ７により読取った原稿の両面の画像データが画像メモリ２０に蓄積されるまでに、複写機１において行われる処理動作によるデータ転送の流れを示した図である。図示するように、表面スキャナ５により読取られた原稿の表面の画像データは、図２に基づいて説明した流れで画像メモリ２０に蓄積されるので、説明を省略する。なお、原稿の表面の画像データに対する処理と原稿の裏面の画像データに対する処理は、並行して行われる。
【００２５】
まず、裏面スキャナ７は、原稿の裏面の画像データを読取り、これを裏面スキャナ画像処理回路８へと出力する。裏面スキャナ画像処理回路８は、裏面スキャナ７から出力された裏面の画像データに対して、Ａ／Ｄ変換、シェーディング補正、２値化処理等の第１の画像処理を行う。プリンタ用ページメモリコントローラ１３は、裏面スキャナ画像処理回路８で第１の画像処理が行われた裏面の画像データをプリンタ用ページメモリ２１に一時的に格納した後、該プリンタ用ページメモリ２１から裏面の画像データを読出してプリンタ用コーデック１２に出力する。プリンタ用コーデック１２は、プリンタ用ページメモリコントローラ１３により入力された裏面の画像データを符号化して画像メモリコントローラ１１へ出力する。画像メモリコントローラ１１は、プリンタ用コーデック１２で符号化された裏面の画像データを画像メモリ２０に蓄積する。このように、複写機１は、表面スキャナ５及び裏面スキャナ７で読取った原稿の表面及び裏面の画像データをそれぞれスキャナ用ページメモリ１９及びプリンタ用ページメモリ２１に格納した後、これら両面の画像データをスキャナ用コーデック１０及びプリンタ用コーデック１２により符号化して、画像メモリ２０に蓄積する。
【００２６】
以上説明したように、複写機１は、原稿の両面の画像データを読取る場合には、スキャナ用ページメモリ１９を原稿の表面の画像データ、すなわち、原稿の一方の面の画像データの格納に割り当て、プリンタ用ページメモリ２１を原稿の裏面の画像データ、すなわち、原稿の他方の面の画像データの格納に割り当てる。つまり、読取用ページメモリ領域は、専ら読取った原稿の画像データの格納に使用され、出力用ページメモリ領域は、読取った原稿の画像データと印字出力する原稿の画像データの格納に共用される。これにより、従来のように、ページメモリを２倍に増設することなく、原稿の両面高速読取りを実現することができる。
【００２７】
なお、本実施の形態においては、原稿の表面の画像データをスキャナ用ページメモリ１９に格納し、原稿の裏面の画像データをプリンタ用ページメモリ２１に格納するようにしたが、原稿の表面の画像データをプリンタ用ページメモリ２１に格納し、原稿の裏面の画像データをスキャナ用ページメモリ１９に格納するようにしてもよい。
【００２８】
複写機１は、プリンタ１５において印字出力ジョブが実行されていない場合には、図３に基づいて説明したように、プリンタ用ページメモリ２１を原稿の裏面の画像データの格納に割り当てるが、プリンタ１５において印字出力ジョブが実行されている場合には、プリンタ用ページメモリ２１にプリンタ１５で印字出力される画像データが格納されるため、プリンタ１５での印字出力ジョブを中断するか、又は、プリンタ１５での印字出力ジョブ終了後、原稿の両面の画像データの読取りを開始するようになっている。
【００２９】
また、複写機１では、操作部１６又は表示部１７から、印字出力ジョブを中断して原稿の両面の画像データの読取りを優先させる読取り優先モード、又は、印字出力ジョブを優先させる印字出力優先モードを指定することができるようになっており、モードの設定情報は、ＲＡＭ４に記憶される。
【００３０】
以下、原稿の読取り開始が指示された場合に複写機１において行われる処理動作を図４に示すフローチャートに基づいて説明する。なお、以下のフローチャートに基づいて説明する複写機１の処理動作は、ＲＯＭ３に格納されている制御プログラムに基づいて制御部２が発行する命令に従って行われる。
【００３１】
まず、制御部２は、操作部１６のスタートキーが押下されること等による原稿の読取り開始が指示されたか否かを判断する（Ｓ１）。原稿の読取り開始が指示されたと判断した場合（Ｓ１：ＹＥＳ）、ＲＡＭ４の設定情報に基づいて、両面読取りモードが指定されているか否かを判断する（Ｓ２）。両面読取りモードが指定されていないと判断した場合（Ｓ２：ＮＯ）、すなわち、片面読取りモードが指定されていると判断した場合、表面スキャナ５で原稿の表面の画像データを読取る（Ｓ３）。次に、原稿の表面の画像データの読取りが終了したか否かを判断する（Ｓ４）。原稿の表面の画像データの読取りが終了していないと判断した場合（Ｓ４：ＮＯ）、処理をＳ３に戻し、原稿の表面の画像データの読取りが終了したと判断するまで、原稿の表面の画像データを読取る。ここで、原稿の表面の画像データの読取りが終了したと判断した場合（Ｓ４：ＹＥＳ）、処理を終了する。
【００３２】
制御部２は、両面読取りモードが指定されていると判断した場合（Ｓ２：ＹＥＳ）、プリンタ１５が印字出力ジョブを実行しているか否かを判断する（Ｓ５）。プリンタ１５が印字出力ジョブを実行していると判断した場合（Ｓ５：ＹＥＳ）、ＲＡＭ４の設定情報に基づいて、読取り優先モードが指定されているか否かを判断する（Ｓ６）。読取り優先モードが指定されていると判断した場合（Ｓ６：ＹＥＳ）、実行中の印字出力ジョブを中断する（Ｓ７）。
【００３３】
一方、制御部２は、読取り優先モードが指定されていないと判断した場合（Ｓ６：ＮＯ）、すなわち、印字出力優先モードが指定されていると判断した場合、プリンタ１５が印字出力ジョブを終了したか否かを判断する（Ｓ８）。プリンタ１５が印字出力ジョブを終了していないと判断した場合（Ｓ８：ＮＯ）、プリンタ１５が印字出力ジョブを終了したと判断するまで、この処理を繰り返す。
【００３４】
制御部２は、Ｓ７の処理動作を実行した後、又はプリンタ１５が印字出力ジョブを終了したと判断した場合（Ｓ８：ＹＥＳ）、表面スキャナ５及び裏面スキャナ７で原稿の両面の画像データの読取りを開始する（Ｓ９）。Ｓ５において、プリンタ１５が印字出力ジョブを実行していないと判断した場合は（Ｓ５：ＮＯ）、Ｓ６乃至Ｓ８の処理動作を実行せず、Ｓ９の処理動作を実行する。
【００３５】
続いて、制御部２は、新たな印字出力ジョブが発生したか否かを判断する（Ｓ１０）。新たな印字出力ジョブが発生したと判断した場合（Ｓ１０：ＹＥＳ）、その印字出力ジョブを印字出力ジョブ待ちキューに登録する（Ｓ１１）。次に、原稿の両面の画像データの読取りが終了したか否かを判断する（Ｓ１２）。新たな印字出力ジョブが発生していないと判断した場合は（Ｓ１０：ＮＯ）、Ｓ１１の処理動作を実行せず、Ｓ１２の処理動作を実行する。
【００３６】
制御部２は、原稿の両面の画像データの読取りが終了していないと判断した場合（Ｓ１２：ＮＯ）、処理をＳ１０に戻し、原稿の両面の画像データの読取りが終了したと判断するまで、Ｓ１０及びＳ１１のうちの必要な処理動作を実行する。ここで、原稿の両面の画像データの読取りが終了したと判断した場合（Ｓ１２：ＹＥＳ）、中断した印字出力ジョブ、又は、待機中の印字出力ジョブがあるか否かを判断する（Ｓ１３）。すなわち、中断した印字出力ジョブ、又は、印字出力ジョブ待ちキューに登録した印字出力ジョブがあるか否かを判断する。中断した印字出力ジョブ、又は、待機中の印字出力ジョブがあると判断した場合（Ｓ１３：ＹＥＳ）、中断した印字出力ジョブ、又は、待機中の印字出力ジョブをプリンタ１５で実行する（Ｓ１４）。Ｓ１３において、中断した印字出力ジョブ、又は、待機中の印字出力ジョブがないと判断した場合は（Ｓ１３：ＮＯ）、処理を終了する。
【００３７】
このように、複写機１は、原稿の両面の画像データを読取る際に、印字出力ジョブが実行されており、読取り優先モードが指定されている場合には、実行されている印字出力ジョブを中断し、プリンタ用ページメモリ２１を印字出力処理から解放して、プリンタ用ページメモリ２１を原稿の裏面の画像データの格納に割り当てるので、印字出力ジョブの終了を待つことなく、原稿の両面読取りを行うことができる。また、複写機１は、原稿の両面の画像データの読取りが終了した後、中断した印字出力ジョブを再開するので、印字出力ジョブの再設定等のユーザの操作を省くことができ、利便性が向上するという利点がある。
【００３８】
また、複写機１は、原稿の両面の画像データを読取る際に、印字出力ジョブが実行されており、印字出力優先モードが指定されている場合には、実行されている印字出力ジョブが終了した後、原稿の両面の画像データの読取りを開始するので、印字出力ジョブを優先させて実行することができる。
【００３９】
本実施の形態においては、Ｓ１０、Ｓ１１で説明したように、原稿の両面の画像データを読取っている間に発生した印字出力ジョブは、印字出力ジョブ待ちキューに登録され、原稿の両面の画像データの読取りが終了した後、プリンタ１５で実行されるが、本実施の形態の変形例として、原稿の両面の画像データの読取りを中断して、印字出力ジョブ待ちキューに登録された印字出力ジョブを原稿の読取りに対して優先させるようにしてもよい。この場合、印字出力を更に優先して処理させることが可能である。
【００４０】
なお、前述の説明においては、複写機１は、読取った原稿の画像データを格納する読取用ページメモリ領域としてのスキャナ用ページメモリ１９と、出力する原稿の画像データを格納する出力用ページメモリ領域としてのプリンタ用ページメモリ２１と、を別々に備えているが、１つのページメモリ内に読取用ページメモリ領域と出力用ページメモリ領域とを設けるようにしてもよい。また、スキャナ用ページメモリコントローラ９、プリンタ用ページメモリコントローラ１３をそれぞれ別のチップに設けているが、これらのページメモリコントローラ９、１３を１つのチップに設けるようにしてもよい。また、スキャナ用コーデック１０、プリンタ用コーデック１２も１つのチップに設けるようにしてもよい。
【産業上の利用可能性】
【００４１】
本発明は、例えば、原稿の両面の画像データを読取る複写機やファクシミリ装置等に適用することができる。
【図面の簡単な説明】
【００４２】
【図１】本発明の実施の形態に係る複写機の構成例を示したブロック図である。
【図２】表面スキャナにより読取った原稿の表面の画像データがプリンタで印字出力されるまでに、複写機において行われる処理動作によるデータ転送の流れを示した図である。
【図３】表面スキャナ及び裏面スキャナにより読取った原稿の両面の画像データが画像メモリに蓄積されるまでに、複写機において行われる処理動作によるデータ転送の流れを示した図である。
【図４】原稿の読取り開始が指示された場合に複写機において行われる処理動作を示したフローチャートである。
【符号の説明】
【００４３】
１    複写機
２    制御部
３    ＲＯＭ
４    ＲＡＭ
９    スキャナ用ページメモリコントローラ
１３    プリンタ用ページメモリコントローラ
１９    スキャナ用ページメモリ（読取用ページメモリ領域）
２１    プリンタ用ページメモリ（出力用ページメモリ領域）
【図１】
2006295546.tif 000003
【図２】
2006295546.tif 000004
【図３】
2006295546.tif 000005
【図４】
2006295546.tif 000006